(57)【特許請求の範囲】
【請求項１】
燃焼器具の点火部に高電圧を出力する複数の出力用端子を有したトランス部と、前記トランス部を駆動させる駆動部とを備え、前記トランス部は、貫通孔を有した筒形状のボビンと、前記ボビンの外周面上に巻回するとともに、互いに隣接するように交互に配置した第一巻線部および第二巻線部と、前記ボビンの貫通孔に挿入した磁芯とを有しており、前記ボビンには、前記第一巻線部および前記第二巻線部とを分割する分割鍔を設けるとともに、前記第一巻線部によって挟設された前記第二巻線部をさらに分割する第一補助分割鍔と前記第一巻線部によって非挟設された前記第二巻線部をさらに分割する第二補助分割とを設け、前記第一補助分割鍔の厚さを前記第二補助分割鍔の厚さよりも厚くするとともに、前記第一補助分割鍔間を前記第二補助分割鍔間よりも狭くし、かつ前記第一巻線部および前記第二巻線部には巻き始め部および巻き終わり部を設け、前記第一巻線部によって挟設された前記第二巻線部の巻き始め部および巻き終わり部は少なくとも一方を前記出力用端子にするとともに、前記第一巻線部によって非挟設された前記第二巻線部の巻き始め部および巻き終わり部は一方を出力用端子、他方を接地用端子とした燃焼器具用点火トランス。
【請求項２】
第一巻線部によって挟設された前記第二巻線部と前記第一巻線部とを分割する分割鍔の厚さは、前記第一巻線部によって非挟設された前記第二巻線部と前記第一巻線部とを分割する分割鍔の厚さよりも厚くした請求項１記載の燃焼器具用点火トランス。
【請求項３】
第一巻線部を２個、第二巻線部を３個設けるとともに、前記第一巻線部の巻回方向と前記第二巻線部の巻回方向とを互いに逆方向にし、前記第一巻線部によって非挟設された前記第二巻線部は、巻き終わり部を前記第一巻線部側に配置するとともに、巻き始め部を出力用端子、巻き終わり部を接地用端子とし、一方の前記第一巻線部は、巻き終わり部を前記第一巻線部によって非挟設された前記第二巻線部側に配置するとともに、巻き始め部を接地用端子とし、他方の前記第一巻線部は、巻き始め部を前記第一巻線部によって非挟設された前記第二巻線部側に配置するとともに、巻き始め部を接地用端子とした請求項１記載の燃焼器具用点火トランス。
【請求項４】
着火用のコンロ点火部を有するコンロ部と、着火用のグリル点下部を有するグリル部と、前記コンロ点火部および前記グリル点火部に高電圧を出力する複数の出力用端子を有したトランス部と、前記トランス部を駆動させる駆動部と、前記出力用端子と前記コンロ点火部および前記グリル点火部とを接続するケーブルと、前記駆動部に電源を供給する電源部とを備え、前記トランス部は、貫通孔を有した筒形状のボビンと、前記ボビンの外周面上に巻回するとともに、互いに隣接するように交互に配置した第一巻線部および第二巻線部と、前記ボビンの貫通孔に挿入した磁芯とを有しており、前記ボビンには、前記第一巻線部および前記第二巻線部を分割する分割鍔を設けるとともに、前記第一巻線部によって挟設された前記第二巻線部をさらに分割する第一補助分割鍔と前記第一巻線部によって非挟設された前記第二巻線部をさらに分割する第二補助分割とを設け、前記第一補助分割鍔の厚さを前記第二補助分割鍔の厚さよりも厚くするとともに、前記第一補助分解鍔間を前記第二補助分割鍔間よりも狭くし、かつ前記第一巻線部および前記第二巻線部には巻き始め部および巻き終わり部を設け、前記第一巻線部によって挟設された前記第二巻線部の巻き始め部および巻き終わり部は少なくとも一方を前記出力用端子にするとともに、前記第一巻線部によって非挟設された前記第二巻線部の巻き始め部および巻き終わり部は一方を出力用端子、他方を接地用端子とした燃焼器具。
【請求項５】
第一巻線部によって挟設された第二巻線部の巻き始め部および巻き終わり部は、コンロ点火部に高電圧を出力する出力用端子にするとともに、第一巻線部によって非挟設された前記第二巻線部の巻き始め部および巻き終わり部は一方をグリル点火部に高電圧を出力する出力用端子、他方を接地用端子とした請求項４記載の燃焼器具。
【請求項６】
第一巻線部によって挟設された前記第二巻線部と前記第一巻線部とを分割する分割鍔の厚さは、前記第一巻線部によって非挟設された前記第二巻線部と前記第一巻線部とを分割する分割鍔の厚さよりも厚くした請求項４記載の燃焼器具。
【請求項７】
第一巻線部を２個、第二巻線部を３個設けるとともに、前記第一巻線部の巻回方向と前記第二巻線部の巻回方向とを互いに逆方向にし、前記第一巻線部によって非挟設された前記第二巻線部は、巻き終わり部を前記第一巻線部側に配置するとともに、巻き始め部を出力用端子、巻き終わり部を接地用端子とし、一方の前記第一巻線部は、巻き終わり部を前記第一巻線部によって非挟設された前記第二巻線部側に配置するとともに、巻き始め部を設置用端子とし、他方の前記第一巻線部は、巻き始め部を前記第一巻線部によって非挟設された前記第二巻線部側に配置するとともに、巻き始め部を接地用端子とした請求項４記載の燃焼器具。
【発明の詳細な説明】
【０００１】
【発明の属する技術分野】
本発明は、液体、気体燃料に点火する燃焼器具用点火トランスおよびそれを用いた燃焼器具に関するものである。
【０００２】
【従来の技術】
以下、従来の燃焼器具用点火トランスおよびそれを用いた燃焼器具について図面を参照しながら説明する。
【０００３】
図８、図９において、従来の燃焼器具の一つであるガステーブル器具は、着火用のコンロ点火部１を有するコンロ部２と、着火用のグリル点火部３を有するグリル部４と、コンロ点火部１およびグリル点火部３に高電圧を出力する複数の出力用端子２０を有した点火トランス５と、この点火トランス５の出力用端子とコンロ点火部１およびグリル点火部３とを接続するケーブル６と、点火トランス５を駆動させるために電源を供給する電源部とを備えている。
【０００４】
また、点火トランス５は、トランス部とこれを駆動させる駆動部とを有し、トランス部は、軸方向に貫通孔１１を有したボビン１２と、このボビン１２の外周に巻回した第二巻線部１４と、ボビン１２の貫通孔１１に挿入するとともに、第一巻線部１３を巻回した磁芯１５と、ボビン１２を内包するとともに下方が開口部１６となったケース１７、このケース１７内に充填する絶縁樹脂部とを備えている。
【０００５】
さらに、第一巻線部１３および第二巻線部１４は、同心円状に、第一巻線部１３の外側に第二巻線部１４を配置するように巻回しており、ボビン１２は両端に鍔１８を有するとともに、この両端の鍔１８間に、第二巻線部１４を複数に分割する分割鍔１９を有しており、鍔１８および分割鍔１９に出力用端子２０を植設している。
【０００６】
そして、このときの単位火花放電あたりの出力電圧−火花放電時間は図１０に示すようになり、１回の火花放電による放電時間は（Ｔ）となる。
【０００７】
【発明が解決しようとする課題】
一般に、液体、気体燃料に点火する燃焼器具用点火トランスおよびそれを用いた燃焼器具に用いるトランス部５では、第二巻線部１４から出力される電圧を高電圧にして、コンロ点火部１およびグリル点火部３において、出力用端子２０に接続されたケーブル６の先端に配置した放電部とアース間での火花放電の発生を容易にするとともに、火花放電による放電時間を持続させて、燃料への着火を容易にする必要がある。
【０００８】
特に、燃焼器具の点火部分は様々な形態があるので、点火部分における点火率がよくなるように、点火部分の形態に合わせて、点火トランス５のトランス部の第二巻線部１４から出力される電圧の電圧波形を最適な波形にする必要もある。
【０００９】
しかし、上記従来の構成では、一次巻線部１３および二次巻線部１４は、一次巻線部１３の外側に二次巻線部１４を、同心円状になるようにボビン１２の外周に巻回し配置しているので、一次巻線部１３と二次巻線部１４とは結合が強結合となり、二次巻線部１４の出力電圧は高電圧となるが、火花放電時間による放電時間が短く、特に着火させにくいガステーブル器具のグリル部４等、燃焼器具の点火部分の形態によっては、燃料への着火が困難であるという問題点を有していた。
【００１０】
本発明は上記問題点を解決するもので、火花放電時間による放電時間を長くし、容易に燃料へ着火することができるとともに、燃焼器具の点火部分の形態が異なっていても、確実に着火することができる燃焼器具用点火トランスおよびそれを用いた燃焼器具を提供することを目的としている。
【００１１】
【課題を解決するための手段】
上記目的を達成するために本発明は、以下の構成を有する。
【００１２】
本発明の請求項１記載の発明は、燃焼器具用点火トランスにおいて、特に、ボビンには、第一巻線部および第二巻線部を分割する分割鍔を設けるとともに、前記第一巻線部によって挟設された前記第二巻線部をさらに分割する第一補助分割鍔と前記第一巻線部によって非挟設された前記第二巻線部をさらに分割する第二補助分割とを設け、前記第一補助分割鍔の厚さを前記第二補助分割鍔の厚さよりも厚くするとともに、前記第一補助分割鍔間を前記第二補助分割鍔間よりも狭くし、かつ前記第一巻線部および前記第二巻線部には巻き始め部および巻き終わり部を設け、前記第一巻線部によって挟設された前記第二巻線部の巻き始め部および巻き終わり部は少なくとも一方を前記出力用端子にするとともに、前記第一巻線部によって非挟設された前記第二巻線部の巻き始め部および巻き終わり部は一方を出力用端子、他方を接地用端子とした構成である。
【００１３】
上記構成により、第一巻線部によって挟設された第二巻線部から出力される電圧は、第二巻線部が第一巻線部によって挟設されているので、第一巻線部と第二巻線部との結合が強結合となり、火花放電時間による放電時間が短いものの、高電圧を出力することができ、着火させにくいグリル部においても燃料への着火を損なうことがない。
【００１４】
また、第二巻線部の巻き始め部および巻き終わり部の少なくとも一方を出力用端子としているので、使用形態によって、第二巻線部から２つの出力用端子を取出すこともでき、第二巻線部を新たに形成する必要がなく、小型化を図れる。
【００１５】
一方、第一巻線部によって非挟設された第二巻線部から出力される電圧は、第二巻線部が第一巻線部によって非挟設され、この第二巻線部の巻き始め部および巻き終わり部の一方を出力用端子、他方を接地用端子としているので、第一巻線部と第二巻線部との結合が弱結合となり、高電圧を出力することができるとともに、火花放電時間を長くすることができ、着火させにくいグリル部においても、燃料への着火を容易にすることができる。
【００１６】
さらに、第一巻線部によって挟設された第二巻線部をさらに分割する第一補助分割鍔と第一巻線部によって非挟設された第二巻線部をさらに分割する第二補助分割とを設け、第一補助分割鍔の厚さを第二補助分割鍔の厚さよりも厚くするとともに、第一補助分割鍔間を第二補助分割鍔間よりも狭くしているので、ボビンの外周面上に、第一巻線部によって挟設された第二巻線部および第一巻線部によって非挟設された第二巻線部を配置することができる。
【００１７】
つまり、第一巻線部とこの第一巻線部によって挟設された第二巻線部との結合は、第一巻線部とこの第一巻線部によって非挟設された第二巻線部との結合よりも、結合が強結合なので、第一巻線部によって挟設された第二巻線部は第一巻線部によって非挟設された第二巻線部よりも絶縁性を向上させる必要がある。
【００１８】
よって、第一補助分割鍔の厚さを第二補助分割鍔の厚さよりも厚くすることにより、隣接する第一補助分割鍔間に巻回された第二巻線部を互いに絶縁しており、また、第一補助分割鍔間を第二補助分割鍔間よりも狭くすることにより、第二巻線部が整列されずに乱れたりすることを抑制し、強結合であるが故に、第二巻巻線部が乱れた際に発生しやすい短絡を防止している。
【００１９】
本発明の請求項２記載の発明は、請求項１記載の発明において、第一巻線部によって挟設された前記第二巻線部と前記第一巻線部とを分割する分割鍔の厚さは、前記第一巻線部によって非挟設された前記第二巻線部と前記第一巻線部とを分割する分割鍔の厚さよりも厚くした構成である。
【００２０】
上記構成により、第一巻線部によって挟設された第二巻線部の巻き始め部と巻き終わり部の両方を出力用端子として、高電圧を出力する２つの出力用端子を取出したとしても、隣接する第一巻線部との絶縁を図ることができ、絶縁性を向上できる。
【００２１】
本発明の請求項３記載の発明は、請求項１記載の発明において、第一巻線部を２個、第二巻線部を３個設けるとともに、前記第一巻線部の巻回方向と前記第二巻線部の巻回方向とを互いに逆方向にし、前記第一巻線部によって非挟設された前記第二巻線部は、巻き終わり部を前記第一巻線部側に配置するとともに、巻き始め部を出力用端子、巻き終わり部を接地用端子とし、一方の前記第一巻線部は、巻き終わり部を前記第一巻線部によって非挟設された前記第二巻線部側に配置するとともに、巻き始め部を接地用端子とし、他方の前記第一の巻線部は、巻き始め部を前記第一巻線部によって非挟設された前記第二巻線部側に配置するとともに、巻き始め部を接地用端子とした構成である。
【００２２】
上記構成により、第一巻線部によって挟設された第二巻線部からは、火花放電時間による放電時間が短いものの、高電圧を出力することができ、通常の使用状態において、燃料への着火を損なうことがなく、第一巻線部によって非挟設された第二巻線部からは、高電圧を出力することができるとともに、火花放電時間を長くすることができ、着火させにくいグリル部においても、燃料への着火を容易にすることができ、的確に燃料への着火ができる。
【００２３】
また、第一巻線部によって挟設された第二巻線部の巻き始め部と巻き終わり部の両方を出力用端子として、高電圧を出力する２つの出力用端子を取り出したとしても、隣接する第一巻線部との絶縁を図ることができ、的確に絶縁性を向上できる。
【００２４】
さらに、第一巻線部、第二巻線部とも互いに影響を受けにくく、特に、第一巻線部によって非挟設された第二巻線部の出力電圧の低下を抑制し、電圧信頼性を向上できる。
【００２５】
本発明の請求項４記載の発明は、燃焼器具用点火トランスを用いた燃焼器具において、着火用のコンロ点火部を有するコンロ部と、着火用のグリル点火部を有するグリル部と、前記コンロ点火部および前記グリル点火部に高電圧を出力する複数の出力用端子を有したトランス部と、前記トランス部を駆動させる駆動部と、前記出力用端子と前記コンロ点火部および前記グリル点火部とを接続するケーブルと、前記駆動部に電源を供給する電源部とを備え、前記トランス部は、貫通孔を有した筒形状のボビンと、前記ボビンの外周面上に巻回するとともに、互いに隣接するように交互に配置した第一巻線部および第二巻線部と、前記ボビンの貫通孔に挿入した磁芯とを有しており、前記ボビンには、前記第一巻線部および前記第二巻線部を分割する分割鍔を設けるとともに、前記第一巻線部によって挟設された前記第二巻線部をさらに分割する第一補助分割鍔と前記第一巻線部によって非挟設された前記第二巻線部をさらに分割する第二補助分割とを設け、前記第一補助分割鍔の厚さを前記第二補助分割鍔の厚さよりも厚くするとともに、前記第一補助分解鍔間を前記第二補助分割鍔間よりも狭くし、かつ前記第一巻線部および前記第二巻線部には巻き始め部および巻き終わり部を設け、前記第一巻線部によって挟設された前記第二巻線部の巻き始め部および巻き終わり部は前記出力用端子にするとともに、前記第一巻線部によって非挟設された前記第二巻線部の巻き始め部および巻き終わり部は一方を出力用端子、他方を接地用端子とした構成である。
【００２６】
上記構成により、第一巻線部によって挟設された第二巻線部から出力される電圧は、第二巻線部が第一巻線部によって挟設されているので、第一巻線部と第二巻線部との結合が強結合となり、火花放電時間による放電時間が短いものの、高電圧を出力することができ、通常の使用状態において、燃料の着火を損なうことがなく、燃焼器具の着火信頼性を向上できる。
【００２７】
また、第二巻線部の巻き始め部および巻き終わり部の少なくとも一方を出力用端子としているので、使用形態によって、第二巻線部から２つの出力用端子を取り出すこともでき、第二巻線部を新たに形成する必要がなく、点火トランスの小型化が図れ、燃焼器具への取付スペースを削減できる。
【００２８】
一方、第一巻線部によって非挟設された第二巻線部から出力される電圧は、第二巻線部が第一巻線部によって非挟設され、この第二巻線部の巻き始め部および巻き終わり部の一方を出力用端子、他方を接地用端子としているので、第一巻線部と第二巻線部との結合が弱結合となり、高電圧を出力することができるとともに、火花放電時間を長くすることができ、着火させにくいグリル部においても、燃料への着火を容易にし、燃焼器具の着火信頼性を向上できる。
【００２９】
さらに、第一巻線部によって挟設された第二巻線部をさらに分割する第一補助分割鍔と第一巻線部によって非挟設された第二巻線部をさらに分割する第二補助分割とを設け、第一補助分割鍔の厚さを第二補助分割鍔の厚さよりも厚くするとともに、第一補助分割鍔間を第二補助分割鍔間よりも狭くしているので、ボビンの外周面上に、第一巻線部によって挟設された第二巻線部および第一巻線部によって非挟設された第二巻線部を配置することができる。
【００３０】
つまり、第一巻線部とこの第一巻線部によって挟設された第二巻線部との結合は、第一巻線部とこの第一巻線部によって非挟設された第二巻線部との結合よりも、結合が強結合なので、第一巻線部によって挟設された第二巻線部は第一巻線部によって非挟設された第二巻線部よりも絶縁性を向上させる必要がある。
【００３１】
よって、第一補助分割鍔の厚さを第二補助分割鍔の厚さりも厚くすることにより、隣接する第一補助分割鍔間に巻回された第二巻線部を互いに絶縁しており、また、第一補助分割鍔間を第二補助分割鍔間よりも狭くすることにより、第二巻線部が整列されずに乱れたりすることを抑制し、強結合であるが故に、第二巻線部が乱れた際に発生しやすい短絡を防止している。
【００３２】
本発明の請求項５記載の発明は、請求項４記載の発明において、第一巻線部によって挟設された第二巻線部の巻き始め部および巻き終わり部は、コンロ点火部に高電圧を出力する出力用端子にするとともに、第一巻線部によって非挟設された前記第二巻線部の巻き始め部および巻き終わり部は一方をグリル点火部に高電圧を出力する出力用端子、他方を接地用端子とした構成である。
【００３３】
上記構成により、酸素濃度の低下のない通常の使用状態で使用するコンロ点火部に対して、第一巻線部によって挟設された第二巻線部の巻き始め部および巻き終わり部を出力用端子にするので、燃料への着火を損なうことがない。
【００３４】
また、着火されにくいグリル点火部に対して、第一巻線部によって非挟設された前記第二巻線部の巻き始め部および巻き終わり部は一方を出力用端子にするので、燃料への着火を容易にする。
【００３５】
よって、燃焼器具の点火部分の形態が異なっていても、一つの燃焼器具点火トランスで、燃焼器具として着火信頼性を向上できる。
【００３６】
本発明の請求項６記載の発明は、請求項４記載の発明において、第一巻線部によって挟設された前記第二巻線部と前記第一巻線部とを分割する分割鍔の厚さは、前記第一巻線部によって非挟設された前記第二巻線部と前記第一巻線部とを分割する分割鍔の厚さよりも厚くした構成である。
【００３７】
上記構成により、第一巻線部によって挟設された第二巻線部の巻き始め部と巻き終わり部の両方を出力用端子として、高電圧を出力する２つの出力用端子を取り出したとしても、隣接する第一巻線部との絶縁を図ることができ、燃焼器具として絶縁信頼性を向上できる。
【００３８】
本発明の請求項７記載の発明は、請求項４記載の発明において、第一巻線部を２個、第二巻線部を３個設けるとともに、前記第一巻線部の巻回方向と前記第二巻線部の巻回方向とを互いに逆方向にし、前記第一巻線部によって非挟設された前記第二巻線部は、巻き終わり部を前記第一巻線部側に配置するとともに、巻き始め部を出力用端子、巻き終わり部を接地用端子とし、一方の前記第一巻線部は、巻き終わり部を前記第一巻線部によって非挟設された前記第二巻線部側に配置するとともに、巻き始め部を接地用端子とし、他方の前記第一巻線部は、巻き始め部を前記第一巻線部によって非挟設された前記第二巻線部側に配置するとともに、巻き始め部を接地用端子とした構成である。
【００３９】
上記構成により、第一巻線部によって挟設された第二巻線部からは、火花放電時間による放電時間が短いものの、高電圧を出力することができ、着火させにくいグリル部への燃料への着火も損なうことがなく、第一巻線部によって非挟設された第二巻線部からは、高電圧を出力することができるとともに、火花放電時間を長くすることができ、着火させにくいグリル部においても、燃料への着火を容易にすることができ、燃焼器具として着火信頼性を向上できる。
【００４０】
また、第一巻線部によって挟設された第二巻線部の巻き始め部と巻き終わり部の両方を出力用端子として、高電圧を出力する２つの出力用端子を取り出したとしても、隣接する第一巻線部との絶縁を図ることができ、燃焼器具として絶縁信頼性を向上できる。
【００４１】
さらに、第一巻線部、第二巻線部とも互いに影響を受けにくく、特に、第一巻線部によって非挟設された第二巻線部の出力電圧の低下を抑制し、電圧信頼性を向上できる。
【００４２】
【発明の実施の形態】
（実施の形態）
以下、実施の形態を用いて、本発明の全ての請求項に記載の発明について説明する。
【００４３】
図１は本発明の一実施の形態における燃焼器具用点火トランスのトランス部の断面図、図２は同燃焼器具用点火トランスの透視斜視図、図３は同燃焼器具用点火トランスの第一巻線部によって挟設された第二巻線部の出力電圧波形図、図４は同燃焼器具用点火トランスの第一巻線部によって非挟設された第二巻線部の出力電圧波形図、図５は同燃焼器具用点火トランスを用いた燃焼器具の斜視図、図６は同燃焼器具の透視斜視図、図７は同燃焼器具とこれに用いた燃焼器具用点火トランスとの結線を示す回路図である。
【００４４】
図１〜図４において、本発明の一実施の形態における燃焼器具用点火トランスは、燃焼器具の点火部に高電圧を出力する複数の出力用端子３１を有したトランス部３２と、このトランス部３２を駆動させる駆動部３３とを備え、トランス部３２は、貫通孔３４を有した筒形状のボビン３５と、このボビン３５の外周面上に巻回するとともに、互いに隣接するように交互に配置した第一巻線部３６および第二巻線部３７と、ボビン３５の貫通孔３４に挿入した磁芯３８とを有している。
【００４５】
このとき、第一巻線部３６は２個、第二巻線部３７は３個設けるとともに、第一巻線部３６の巻回方向（右巻）と第二巻線部３７の巻回方向（左巻）とを互いに逆方向にして、一方の第一巻線部３６は、巻き終わり部４４を第一巻線部３６によって非挟設された第二巻線部３７側に配置するとともに、巻き始め部４３を接地用端子４２とし、他方の第一巻線部３６は、巻き始め部４３を第一巻線部３６によって非挟設された第二巻線部３７側に配置するとともに、巻き始め部４３を接地用端子４２としており、第一巻線部３６によって非挟設された第二巻線部３７は、巻き終わり部４１を第一巻線部３６側に配置するとともに、巻き始め部４０を出力用端子３１、巻き終わり部４１を接地用端子４２とし、第一巻線部３６によって挟設された第二巻線部３７は、巻き始め部４０を一方の第一巻線部３６側に配置し、巻き終わり部４１を他方の第一巻線部３６側に配置して、少なくとも一方を出力用端子３１としている。
【００４６】
また、ボビン３５には、第一巻線部３６および第二巻線部３７を分割する分割鍔４５を設けるとともに、第一巻線部３６によって挟設された第二巻線部３７をさらに分割する第一補助分割鍔４６と第一巻線部３６によって非挟設された第二巻線部３７をさらに分割する第二補助分割鍔４７とを設けている。
【００４７】
特に、第一巻線部３６によって挟設された第二巻線部３７と第一巻線部３６とを分割する分割鍔４５の厚さ（Ｔ１）は、第一巻線部３６によって非挟設された第二巻線部３７と第一巻線部３６とを分割する分割鍔４５の厚さ（Ｔ２）よりも厚くしている。
【００４８】
さらに、第一補助分割鍔４６の厚さ（Ｔ３）を第二補助分割鍔４７の厚さ（Ｔ４）よりも厚くするとともに、第一補助分割鍔４６間（Ｗ１）を第二補助分割鍔４７間（Ｗ２）よりも狭くしている。
【００４９】
このような燃焼器具用点火トランスにおいて、第一巻線部３６によって挟設された第二巻線部３７の出力電圧について、単位火花放電あたりの出力電圧−火花放電時間は図３に示すようになり、第一巻線部３６によって非挟設された第二巻線部３７の出力電圧について、単位火花放電あたりの出力電圧−火花放電時間は図４に示すようになり、１回の火花放電による放電時間は、それぞれ（Ｘ１）、（Ｘ２）となる。
【００５０】
このとき、出力リード線等が出力用端子３１に接続されて引き廻された場合等、出力リード線の長さに応じて生じる負荷容量の大小によって、実線で示した出力電圧値が破線で示した出力電圧値に変動する場合がある。
【００５１】
そして、このような燃焼器具用点火トランスを用いた燃焼器具としては、図５〜図７において、着火用のコンロ点火部５１を有するコンロ部５２と、着火用のグリル点火部５３を有するグリル部５４と、燃焼器具用点火トランス５５と、燃焼器具用点火トランス５５の出力用端子３１とコンロ点火部５１およびグリル点火部５３とを接続するケーブル５６とを有したガステーブル器具５７がある。
【００５２】
このとき、燃焼器具用点火トランス５５において、第一巻線部３６によって挟設された第二巻線部３７の巻き始め部４０および巻き終わり部４１は、２つのコンロ部５２の各々のコンロ点火部５１に出力する出力用端子３１にして、出力用端子３１に接続されたケーブル５６の先端の放電部５８から火花を放電させるとともに、第一巻線部３６によって非挟設された第二巻線部３７の巻き始め部４０および巻き終わり部４１は、一方をグリル点火部５３に出力する出力用端子３１にして、出力用端子３１に接続されたケーブル５６の先端の放電部５８から火花放電させ、他方を接地用端子４２としている。
【００５３】
この状態において、燃焼器具とこれに用いた燃焼器具用点火トランスとの結線を示す回路図は図７に示すようになる。
【００５４】
上記構成の燃焼器具用点火トランスおよびそれを用いた燃焼器具の動作について説明する。
【００５５】
上記構成により、第一巻線部３６によって挟設された第二巻線部３７から出力される電圧は、第二巻線部３７が第一巻線部３６によって挟設されているので、第一巻線部３６と第二巻線部３７との結合が強結合となり、図３に示したように、火花放電時間による放電時間が短いものの、高電圧を出力することができ、通常の使用状態において、燃料への着火を損なうことがない。
【００５６】
また、第二巻線部３７の巻き始め部４０および巻き終わり部４１の少なくとも一方を出力用端子３１としているので、使用状態によって、第二巻線部３７から２つの出力用端子３１を取り出すこともでき、第二巻線部３７を新たに形成する必要がなく、小型化が図れる。
【００５７】
一方、第１巻線部３６によって非挟設された第二巻線部３７から出力される電圧は、第二巻線部３７が第一巻線部３６によって非挟設され、この第二巻線部３７の巻き始め部４０および巻き終わり部４１の一方を出力用端子３１、他方を接地用端子４２としているので、第一巻線部３６と第二巻線部３７との結合が弱結合となり、図４に示したように、高電圧を出力することができるとともに、火花放電時間を長くすることができ、着火させにくいグリル部の燃料への着火を容易にすることができる。特に、負荷容量の影響を受けにくく、安定した着火を行うことができる。
【００５８】
さらに、第一巻線部３６によって挟設された第二巻線部３７をさらに分割する第一補助分割鍔４６と第一巻線部３６によって非挟設された第二巻線部３７をさらに分割する第二補助分割鍔４７とを設け、第一補助分割鍔４６の厚さ（Ｔ３）を第二補助分割鍔４７の厚さ（Ｔ４）よりも厚くするとともに、第一補助分割鍔４６間（Ｗ１）を第二補助分割鍔４７間（Ｗ２）よりも狭くしているので、ボビン３５の外周面上に、第一巻線部３６によって挟設された第二巻線部３７および第一巻線部３６によって非挟設された第二巻線部３７を配置することができる。
【００５９】
つまり、第一巻線部３６とこの第一巻線部３６によって挟設された第二巻線部３７との結合は、第一巻線部３６とこの第一巻線部３６によって非挟設された第二巻線部３７との結合よりも、結合が強結合なので、第一巻線部３６によって挟設された第二巻線部３７は第一巻線部３６によって非挟設された第二巻線部３７よりも絶縁性を向上させる必要がある。
【００６０】
よって、第一補助分割鍔４６の厚さ（Ｔ３）を第二補助分割鍔４７の厚さ（Ｔ４）よりも厚くすることにより、隣接する第一補助分割鍔４６間（Ｗ１）に巻回された第二巻線部３７を互いに絶縁しており、また、第一補助分割鍔４６間（Ｗ１）を第二補助分割鍔３７間（Ｗ２）よりも狭くすることにより、第二巻線部３７が整列されずに乱れたりすることを抑制し、強結合であるが故に、第二巻線部３７が乱れた際に発生しやすい短絡を防止している。
【００６１】
また、第一巻線部３６によって挟設された第二巻線部３７と隣接する第一巻線部３６とを分割する分割鍔４５の厚さ（Ｔ１）を、第一巻線部３６によって非挟設された第二巻線部３７と隣接する第一巻線部３６とを分割する分割鍔４５の厚さ（Ｔ２）よりも厚くしているのも、第一巻線部３６によって挟設された第二巻線部３７の巻き始め部４０と巻き終わり部４１の両方を出力用端子３１として、高電圧を出力する２つの出力用端子３１を取り出したとしても、隣接する第一巻線部３６との絶縁を図り、絶縁性を向上させるためである。
【００６２】
さらに、第一巻線部３６を２個、第二巻線部３７を３個設けるとともに、第一巻線部３６の巻回方向（右巻）と第二巻線部３７の巻回方向（左巻）とを互いに逆方向にし、第一巻線部３６によって非挟設された第二巻線部３７は、巻き終わり部４１を第一巻線部３６側に配置するとともに、巻き始め部４０を出力用端子３１、巻き終わり部４１を接地用端子４２とし、一方の第一巻線部３６は、巻き終わり部４４を第一巻線部３６によって非挟設された第二巻線部３７側に配置するとともに、巻き始め部４３を接地用端子４２とし、他方の第一巻線部３６は、巻き始め部４３を第一巻線部３６によって非挟設された第二巻線部３７側に配置するとともに、巻き始め部４３を接地用端子４２とすることにより、上記効果を一層向上し、燃料への着火と絶縁性を向上できるとともに、第一巻線部３６および第二巻線部３７の間で、互いに影響を受けにくくなり、特に、第一巻線部３６によって非挟設された第二巻線部３７の出力電圧の低下を抑制し、電圧信頼性を向上できる。
【００６３】
一方、燃焼器具用点火トランスを用いた燃焼器具は、上記構成により、着火させにくいグリル部においての燃料への着火も損なうことがなく、燃焼器具の着火信頼性を向上できる。
【００６４】
特に、通常の使用状態で使用するコンロ点火部５１に対して、第一巻線部３６によって挟設された第二巻線部３７の巻き始め部４０および巻き終わり部４１を出力用端子３１にし、着火させにくいグリル点火部５３に対して、第一巻線部３６によって非挟設された第二巻線部３７の巻き始め部４０および巻き終わり部４１は一方を出力用端子３１にするので、燃焼器具として着火信頼性を向上できる。
【００６５】
また、第二巻線部３７の巻き始め部４０および巻き終わり部４１の少なくとも一方を出力用端子３１としているので、使用形態によって、第二巻線部３７から２つの出力用端子３１を取り出すこともでき、第二巻線部３７を新たに形成する必要がなく、点火トランスの小型化を図れ、燃焼器具への取付スペースを削減できる。
【００６６】
このように本発明の一実施の形態によれば、着火させにくいグリル部においても燃料への着火を損なうことがなく、燃料への着火を容易にし、燃焼器具の着火信頼性を向上できるとともに、使用形態によって、第二巻線部３７から２つの出力用端子３１を取り出すこともでき、第二巻線部３７を新たに形成する必要がなく、点火トランスの小型化を図れる。また、第一補助分割鍔４６、第二補助分割鍔４７、分割鍔４５によって、絶縁性を向上できるとともに、第一巻線部３６および第二巻線部３７の間で、互いに影響を受けにくく、第一巻線部３６によって非挟設された第二巻線部３７の出力電圧の低下を抑制し、電圧信頼性を向上できる。
【００６７】
さらに、燃焼器具用点火トランスを用いた燃焼器具においては、通常の使用状態で使用するコンロ点火部５１に対して、第一巻線部３６によって挟設された第二巻線部３７の巻き始め部４０および巻き終わり部４１を出力用端子３１にし、着火させにくいグリル点火部５３に対して、第一巻線部３６によって非挟設された第二巻線部３７の巻き始め部４０および巻き終わり部４１は一方を出力用端子３１にするので、燃焼器具として着火信頼性を向上できるとともに、燃焼器具用点火トランスの小型化により、取付スペースを削減できる。
【００６８】
【発明の効果】
以上のように本発明によれば、第一巻線部によって挟設された第二巻線部から出力される電圧は、第二巻線部が第一巻線部によって挟設されているので、第一巻線部と第二巻線部との結合が強結合となり、火花放電時間による放電時間が短いものの、高電圧を出力することができ、通常の使用状態において、燃料への着火を損なうことがなく、第一巻線部によって非挟設された第二巻線部から出力される電圧は、第二巻線部が第一巻線部によって非挟設され、この第二巻線部の巻き始めおよび巻き終わり部の一方を出力用端子、他方を接地用端子としているので、第一巻線部と第二巻線部との結合が弱結合となり、高電圧を出力することができるとともに、火花放電時間を長くすることができ、着火させにくいグリル部においても、燃料への着火を容易にすることができる。
【００６９】
また、燃焼器具の点火部分の形態に異なっていても、その形態に合わせて、第一巻線部によって挟設された第二巻線部、または、第一巻線部によって非挟設された第二巻線部を出力用端子として選択できるので、確実に着火することができる。
【００７０】
したがって、火花放電時間による放電時間を長くし、容易に燃料へ着火することができるとともに、燃焼器具の点火部分の形態が異なっていても、確実に着火することができる燃焼器具用点火トランスおよびを用いた燃焼器具を提供することができる。
【図面の簡単な説明】
【図１】本発明の一実施の形態における燃焼器具用点火トランスのトランス部の断面図
【図２】同燃焼器具用点火トランスの透視斜視図
【図３】同燃焼器具用点火トランスの第一巻線部によって挟設された第二巻線部の出力電圧波形図
【図４】同燃焼器具用点火トランスの第一巻線部によって非挟設された第二巻線部の出力電圧波形図
【図５】同燃焼器具用点火トランスを用いた燃焼器具の斜視図
【図６】同燃焼器具の透視斜視図
【図７】同燃焼器具と燃焼器具用点火トランスとの結線を示す回路図
【図８】従来の燃焼器具用点火トランスを用いた燃焼器具の透視斜視図
【図９】同燃焼器具用点火トランスの分解斜視図
【図１０】同燃焼器具用点火トランスの出力電圧波形図
【符号の説明】
３１  出力用端子
３２  トランス部
３３  駆動部
３４  貫通孔
３５  ボビン
３６  第一巻線部
３７  第二巻線部
３８  磁芯
４０  巻き始め部
４１  巻き終わり部
４２  接地用端子
４３  巻き始め部
４４  巻き終わり部
４５  分割鍔
４６  第一補助分割鍔
４７  第二補助分割鍔
５１  コンロ点火部
５２  コンロ部
５３  グリル点火部
５４  グリル部
５５  燃焼器具用点火トランス
５６  ケーブル
５７  ガステーブル器具
５８  放電部
【図１】
0003606192.tif 000002
【図２】
0003606192.tif 000003
【図３】
0003606192.tif 000004
【図４】
0003606192.tif 000005
【図５】
0003606192.tif 000006
【図６】
0003606192.tif 000007
【図７】
0003606192.tif 000008
【図８】
0003606192.tif 000009
【図９】
0003606192.tif 000010
【図１０】
0003606192.tif 000011